(57)【要約】      （修正有）【課題】高周波信号を処理する回路において高温領域においてもゲインの温度補償を行うことが可能で、且つ、温度補償の微調整が可能な温度補償回路を提供する。【解決手段】温度補償回路は、所定温度に到達するまでの低温領域では、絶対温度に比例して増加する電流値を有し、所定温度以上の高温領域では、絶対温度に比例した電流値よりもさらに増加した電流値を有するバイアス電流ＩBを出力するバイアス回路１０１と、バイアス電流が供給される制御端子を有するトランジスタＴｒとを備え、当該バイアス回路は、絶対温度に比例して増加する第１の電流Ｉ1と、低温領域では電流が流れず、高温領域では電流が流れる第２の電流Ｉ2とが加算された第３の電流Ｉ3を生成し、バイアス電流として、第３の電流又は第３の電流に依存した第４の電流ＩX4を出力し、さらに、第２の電流の大きさを調整するための外部抵抗ＲXを接続可能な接続端子１３１を有している。【選択図】図４
2010166312.tif 000002
【特許請求の範囲】
【請求項１】
所定温度に到達するまでの低温領域では、絶対温度に比例して増加する電流値を有し、前記所定温度以上の高温領域では、前記絶対温度に比例した電流値よりもさらに増加した電流値を有するバイアス電流を出力するバイアス回路と、
前記バイアス電流が供給される制御端子を有するトランジスタとを備え、
前記バイアス回路は、
絶対温度に比例して増加する第１の電流を生成する第１の電流生成回路と、
前記低温領域では電流が流れず、前記高温領域では電流が流れる第２の電流を生成する第２の電流生成回路と、
前記第２の電流を制御する制御回路であって、前記第２の電流の大きさを調整するための外部抵抗を接続可能な接続端子を有する制御回路とを備え、
前記バイアス回路は、前記第１の電流と前記第２の電流とが加算された第３の電流を生成し、前記バイアス電流として、前記第３の電流又は前記第３の電流に依存した第４の電流を出力することを特徴とする温度補償回路。
【請求項２】
前記制御回路は、前記第１の電流と、前記第２の電流とを制御し、
前記第１の電流の大きさと、前記第２の電流の大きさは、前記外部抵抗により調整可能であることを特徴とする請求項１に記載の温度補償回路。
【請求項３】
所定温度に到達するまでの低温領域では、絶対温度に比例して増加する電流値を有し、前記所定温度以上の高温領域では、前記絶対温度に比例した電流値よりもさらに増加した電流値を有するバイアス電流を出力するバイアス回路と、
前記バイアス電流が供給される制御端子を有するトランジスタとを備え、
前記バイアス回路は、
絶対温度に対し線形に変化する電流値又は電圧値を有する第１の制御電流又は制御電圧が供給される制御端子を有する第１のトランジスタと、
絶対温度に依存しない電流値又は電圧値を有する第２の制御電流又は制御電圧が供給される制御端子を有する第２のトランジスタと、
絶対温度に対し線形に変化する電流値又は電圧値を有する第３の制御電流又は制御電圧が供給される制御端子を有する第３のトランジスタと、
絶対温度に対し線形に変化する電流値又は電圧値を有する第４の制御電流又は制御電圧が供給される制御端子と、絶対温度に比例して増加する第１の電流が流れる主端子とを有する第４のトランジスタと、
前記第２のトランジスタの主端子に接続された制御端子と、前記第３のトランジスタの主端子に接続された第１の主端子と、第２の主端子とを有する第５のトランジスタと、
前記第１のトランジスタの主端子に接続された制御端子と、前記第３のトランジスタの前記主端子に接続された第１の主端子と、前記低温領域では電流が流れず、前記高温領域では電流が流れる第２の電流が流れる第２の主端子とを有する第６のトランジスタと、
前記第３の制御電流又は制御電圧を前記第３のトランジスタに供給し、前記第２の電流の大きさを調整するための外部抵抗を接続可能な接続端子を有する制御回路とを備え、
前記バイアス回路は、前記第１の電流と前記第２の電流とが加算された第３の電流を生成し、前記バイアス電流として、前記第３の電流又は前記第３の電流に依存した第４の電流を出力することを特徴とする温度補償回路。
【請求項４】
前記制御回路は、前記第３及び第４の制御電流又は制御電圧をそれぞれ、前記第３及び第４のトランジスタに供給し、
前記第１の電流の大きさと、前記第２の電流の大きさは、前記外部抵抗により調整可能であることを特徴とする請求項３に記載の温度補償回路。
【請求項５】
前記制御回路は、絶対温度に対し線形に変化する電流値又は電圧値を有する第５の制御電流又は制御電圧を出力し、前記第３のトランジスタに、前記第５の制御電流又は制御電圧に依存した前記第３の制御電流又は制御電圧を供給し、前記第４のトランジスタに、前記第５の制御電流又は制御電圧に依存した前記第４の制御電流又は制御電圧を供給する、ことを特徴とする請求項３又は４に記載の温度補償回路。
【発明の詳細な説明】
【技術分野】
【０００１】
本発明は、温度補償回路に関し、例えば、無線通信機に使用されるものである。
【背景技術】
【０００２】
無線通信機において、特に送信系のパワーアンプ（高周波電力増幅器）では、温度補償が必要となる。
【０００３】
一般的に、エミッタ接地アンプのゲインに関する温度特性をフラットにしたい場合は、アンプに流れる電流をＰＴＡＴ（Proportional to Absolute Temperature）電流、即ち絶対温度に比例する温度特性を有する電流にする。これにより、ゲインの温度特性は理論上はフラットになるといわれている。このため、この手法はエミッタ接地アンプにおいてよく用いられる温度補償手法の一つである。
【０００４】
しかし高周波信号では、実際にはアンプの温度特性は、高温においてゲイン低下という現象が起こる。その理由として、トランジスタのＦｔ（遮断周波数）やメタルの抵抗値増加等、様々な要因が重なってゲインの低下が起きていると考えられる。この結果、従来は高温におけるゲインの温度補償が不十分であった。
【０００５】
特許文献１に開示された技術によれば、信号ラインをダイオードでクランプし、そのダイオードに流れる電流を調整することにより高温時でのゲイン低下を防止している。しかし、高周波信号を処理する回路においては、ダイオードにより生じる損失が大きいので不向きである。このため、この従来技術によっても高温時におけるゲインの低下を防ぐことはできなかった。
【０００６】
そのため、高温におけるゲインの温度補償を行うことが可能な温度補償回路の提供が待望される。特に、ゲインの低下は様々な要因に起因すると考えられるため、温度補償の微調整が可能な温度補償回路の提供が待望される。
【先行技術文献】
【特許文献】
【０００７】
【特許文献１】特開２００５−２９４１号公報
【発明の概要】
【発明が解決しようとする課題】
【０００８】
本発明は、高周波信号を処理する回路において高温領域においてもゲインの温度補償を行うことが可能で、且つ、温度補償の微調整が可能な温度補償回路を提供することを目的とする。
【課題を解決するための手段】
【０００９】
本発明の一の態様は例えば、所定温度に到達するまでの低温領域では、絶対温度に比例して増加する電流値を有し、前記所定温度以上の高温領域では、前記絶対温度に比例した電流値よりもさらに増加した電流値を有するバイアス電流を出力するバイアス回路と、前記バイアス電流が供給される制御端子を有するトランジスタとを備え、前記バイアス回路は、絶対温度に比例して増加する第１の電流を生成する第１の電流生成回路と、前記低温領域では電流が流れず、前記高温領域では電流が流れる第２の電流を生成する第２の電流生成回路と、前記第２の電流を制御する制御回路であって、前記第２の電流の大きさを調整するための外部抵抗を接続可能な接続端子を有する制御回路とを備え、前記バイアス回路は、前記第１の電流と前記第２の電流とが加算された第３の電流を生成し、前記バイアス電流として、前記第３の電流又は前記第３の電流に依存した第４の電流を出力することを特徴とする温度補償回路である。
【００１０】
本発明の別の態様は例えば、所定温度に到達するまでの低温領域では、絶対温度に比例して増加する電流値を有し、前記所定温度以上の高温領域では、前記絶対温度に比例した電流値よりもさらに増加した電流値を有するバイアス電流を出力するバイアス回路と、前記バイアス電流が供給される制御端子を有するトランジスタとを備え、前記バイアス回路は、絶対温度に対し線形に変化する電流値又は電圧値を有する第１の制御電流又は制御電圧が供給される制御端子を有する第１のトランジスタと、絶対温度に依存しない電流値又は電圧値を有する第２の制御電流又は制御電圧が供給される制御端子を有する第２のトランジスタと、絶対温度に対し線形に変化する電流値又は電圧値を有する第３の制御電流又は制御電圧が供給される制御端子を有する第３のトランジスタと、絶対温度に対し線形に変化する電流値又は電圧値を有する第４の制御電流又は制御電圧が供給される制御端子と、絶対温度に比例して増加する第１の電流が流れる主端子とを有する第４のトランジスタと、前記第２のトランジスタの主端子に接続された制御端子と、前記第３のトランジスタの主端子に接続された第１の主端子と、第２の主端子とを有する第５のトランジスタと、前記第１のトランジスタの主端子に接続された制御端子と、前記第３のトランジスタの前記主端子に接続された第１の主端子と、前記低温領域では電流が流れず、前記高温領域では電流が流れる第２の電流が流れる第２の主端子とを有する第６のトランジスタと、前記第３の制御電流又は制御電圧を前記第３のトランジスタに供給し、前記第２の電流の大きさを調整するための外部抵抗を接続可能な接続端子を有する制御回路とを備え、前記バイアス回路は、前記第１の電流と前記第２の電流とが加算された第３の電流を生成し、前記バイアス電流として、前記第３の電流又は前記第３の電流に依存した第４の電流を出力することを特徴とする温度補償回路である。
【発明の効果】
【００１１】
本発明の温度補償回路によれば、高周波信号を処理する回路において高温領域においてもゲインの温度補償を行うことが可能であり、且つ、温度補償の微調整が可能である。
【図面の簡単な説明】
【００１２】
【図１】第１実施形態の温度補償回路の構成を示す回路図である。
【図２】バイアス電流の温度特性を示したグラフである。
【図３】図１の温度補償回路のゲインの温度特性を示したグラフである。
【図４】図１のバイアス回路の構成を示す回路図である。
【図５】第１の電流の温度特性を示したグラフである。
【図６】第２の電流の温度特性を示したグラフである。
【図７】ノードＮ１及びＮ２の電位の温度特性を示したグラフである。
【図８】バイアス電流の温度特性を示したグラフである。
【図９】第２実施形態のバイアス電流生成回路の構成を示す回路図である。
【図１０】第３実施形態のバイアス電流生成回路の構成を示す回路図である。
【発明を実施するための形態】
【００１３】
本発明の実施形態を、図面に基づいて説明する。
【００１４】
（第１実施形態）
図１は、第１実施形態の温度補償回路の構成を示す回路図である。図１の温度補償回路は、バイアス回路１０１と、パワーアンプに相当するトランジスタＴｒとを備える。
【００１５】
トランジスタＴｒは、バイポーラトランジスタであり、バイアス回路１０１に接続されたベース端子と、電源端子に接続されたコレクタ端子と、グラウンド線ＧＮＤに接続されたエミッタ端子とを有する。トランジスタＴｒは、ここではＮＰＮ型のバイポーラトランジスタであるが、ＰＮＰ型のバイポーラトランジスタであっても構わない。
【００１６】
バイアス回路１０１は、バイアス電流ＩBを出力する回路である。バイアス電流ＩBは、バイアス回路１０１から出力され、トランジスタＴｒのベース端子に供給される。トランジスタＴｒのエミッタ端子からは、出力電流ＩOが出力される。
【００１７】
出力電流ＩOは、バイアス電流ＩBにより制御される。バイアス回路１０１は、トランジスタＴｒにより駆動される回路の性能保証範囲内で、ゲインの温度特性がフラットになるように、バイアス電流ＩBを調整する。
【００１８】
バイアス電流ＩBの調整方法を、図２を参照して説明する。図２は、バイアス電流ＩBの温度特性を示したグラフである。図２の横軸は、絶対温度［Ｋ］を表し、図２の縦軸は、電流［Ａ］を表す。
【００１９】
図２に示すように、バイアス電流ＩBは、所定温度ｔ１までの低温領域では、絶対温度に比例して増加する電流値を有するよう調整される。即ち、低温領域におけるバイアス電流ＩBは、ＰＴＡＴ（Proportional To Absolute Temperature）電流となる。
【００２０】
一方、バイアス電流ＩBは、所定温度ｔ１以上の高温領域では、上記絶対温度に比例した電流値よりもさらに増加した電流値を有するよう調整される。図２に示すように、高温領域におけるバイアス電流ＩBは、点線で示す比例関係よりも大きな電流値を有し、温度上昇に応じて、点線で示す比例関係に対し徐々に増加していく。
【００２１】
このようなバイアス電流ＩBをトランジスタＴｒに与えることで、図３のようなゲインが実現される。図３は、図１の温度補償回路のゲインの温度特性を示したグラフである。図３の横軸は、絶対温度［Ｋ］を表し、図３の縦軸は、ゲイン［ｄＢ］を表す。図３に示すように、本実施形態におけるゲインは、高温になるに従い低下する点線のような温度特性から、実線で示すように高温でもフラットな温度特性に修正される。
【００２２】
このように、本実施形態では、バイアス電流ＩBが、低温領域では絶対温度に比例して増加する電流値を有し、高温領域では上記絶対温度に比例した電流値よりもさらに増加した電流値を有するよう調整される。これにより、本実施形態では、低温領域でも高温領域でもフラットな温度特性を示すゲインが実現される。
【００２３】
なお、図２に示す所定温度ｔ１は例えば、＋２５℃であり、図２に示す使用範囲は例えば、−４０℃から＋９０℃である。この使用範囲とは、図１の温度補償回路が設けられたＬＳＩが正常に動作可能な温度範囲を意味する。上述の性能補償範囲は、この使用範囲と同義である。
【００２４】
図４は、図１のバイアス回路１０１の構成を示す回路図である。図４には、バイアス回路１０１の回路構成に加え、トランジスタＴｒが示されている。
【００２５】
バイアス回路１０１は、第１〜第１０のトランジスタＴｒ１〜Ｔｒ１０と、第１〜第７の抵抗Ｒ１〜Ｒ７と、ダイオードＤとを含むバイアス電流生成回路１１１を備える。バイアス電流生成回路１１１は、バイアス電流ＩBを生成する回路である。
【００２６】
第１のトランジスタＴｒ１は、Ｐ型のＭＯＳＦＥＴであり、制御電圧ＶP1が供給されるゲート端子を有する。制御電圧ＶP1は、本発明の第１の制御電圧（又は制御電流）の例であり、絶対温度に対し線形に増加する電圧値を有する。即ち、制御電圧ＶP1は、絶対零度におけるＶP1の値を０とする場合、ＰＴＡＴ電圧となる。
【００２７】
第２のトランジスタＴｒ２は、Ｐ型のＭＯＳＦＥＴであり、制御電圧ＶC2が供給されるゲート端子を有する。制御電圧ＶC2は、本発明の第２の制御電圧（又は制御電流）の例であり、絶対温度に依存しない電圧値を有する。即ち、制御電圧ＶC2は、絶対温度に応じて変化しないＣＴＡＴ（Complementary To Absolute Temperature）電圧となっている。
【００２８】
なお、Ｔｒ１及びＴｒ２のソース端子は、電源線Ｖｃｃに接続されている。また、Ｔｒ１のドレイン端子は、抵抗Ｒ１及びＲ３を介して、ダイオードＤのアノードに接続されており、Ｔｒ２のドレイン端子は、抵抗Ｒ２及びＲ３を介して、ダイオードＤのアノードに接続されている。ダイオードＤのカソードは、グラウンド線ＶＤＤに接続されている。
【００２９】
第３のトランジスタＴｒ３は、ＮＰＮ型のバイポーラトランジスタであり、制御電流ＩP3が供給されるベース端子を有する。制御電流ＩP3は、本発明の第３の制御電流（又は制御電圧）の例であり、絶対温度に対し線形に増加する電流値、詳細には、絶対温度に比例して増加する電流値を有する。即ち、制御電流ＩP3は、ＰＴＡＴ電流となっている。
【００３０】
第４のトランジスタＴｒ４は、ＮＰＮ型のバイポーラトランジスタであり、制御電流ＩP4が供給されるベース端子を有する。制御電流ＩP4は、本発明の第４の制御電流（又は制御電圧）の例であり、絶対温度に対し線形に増加する電流値、詳細には、絶対温度に比例して増加する電流値を有する。即ち、制御電流ＩP4は、ＰＴＡＴ電流となっている。
【００３１】
なお、Ｔｒ３及びＴｒ４のベース端子は、互いに接続されている。また、Ｔｒ３のエミッタ端子は、抵抗Ｒ４を介してグラウンド線ＧＮＤに接続されており、Ｔｒ４のエミッタ端子は、抵抗Ｒ５を介してグラウンド線ＧＮＤに接続されている。
【００３２】
第５及び第６のトランジスタＴｒ５及びＴｒ６は、ＮＰＮ型のバイポーラトランジスタであり、差動増幅器を構成している。Ｔｒ５のベース端子は、Ｔｒ２のドレイン端子に接続されており、Ｔｒ２から出力された電流が供給される。Ｔｒ５のベース端子は、Ｔｒ２のドレイン端子と抵抗Ｒ２との間のノードＮ２に接続されている。一方、Ｔｒ６のベース端子は、Ｔｒ１のドレイン端子に接続されており、Ｔｒ１から出力された電流が供給される。Ｔｒ６のベース端子は、Ｔｒ１のドレイン端子と抵抗Ｒ１との間のノードＮ１に接続されている。
【００３３】
なお、Ｔｒ５及びＴｒ６のエミッタ端子は、互いに接続されると共に、Ｔｒ３のコレクタ端子に接続されている。また、Ｔｒ５のコレクタ端子は、電源線Ｖｃｃに接続されており、Ｔｒ６のコレクタ端子は、Ｔｒ４のコレクタ端子に接続されている。
【００３４】
第７及び第８のトランジスタＴｒ７及びＴｒ８は、Ｐ型のＭＯＳＦＥＴであり、カレントミラーを構成している。Ｔｒ７及びＴｒ８のゲート端子は、互いに接続されている。また、Ｔｒ７及びＴｒ８のソース端子は、電源線Ｖｃｃに接続されている。また、Ｔｒ７のドレイン端子は、Ｔｒ４及びＴｒ６のコレクタ端子に接続されると共に、Ｔｒ７及びＴｒ８のゲート端子に接続されている。
【００３５】
第９及び第１０のトランジスタＴｒ９及びＴｒ１０は、ＮＰＮ型のバイポーラトランジスタである。Ｔｒ９のエミッタ端子は、グラウンド線ＧＮＤに接続されており、Ｔｒ１０のコレクタ端子は、電源線Ｖｃｃに接続されている。また、Ｔｒ９のコレクタ端子及びＴｒ１０のベース端子は、互いに接続されると共に、Ｔｒ８のドレイン端子に接続されている。また、Ｔｒ９のベース端子及びＴｒ１０のエミッタ端子は、互いに接続されると共に、トランジスタＴｒのベース端子に接続されている。Ｔｒ１０は、Ｔｒ９のベース電流の補償用に設けられている。
【００３６】
なお、Ｔｒ９のベース端子は、抵抗Ｒ６を介して、Ｔｒ１０のエミッタ端子に接続されている。また、Ｔｒのベース端子は、抵抗Ｒ７を介して、Ｔｒ１０のエミッタ端子に接続されている。Ｔｒ９は、Ｔｒと共にカレントミラーを構成している。
【００３７】
図４には、バイアス電流生成回路１１１内を流れる第１〜第３の電流Ｉ1〜Ｉ3及び電流ＩX1〜ＩX4が示されている。
【００３８】
第１の電流Ｉ1は、Ｔｒ４のコレクタ端子を流れる電流である。上述のように、Ｔｒ４のベース端子には、絶対温度に比例して増加する制御電流ＩP4が供給される。
【００３９】
よって、第１の電流Ｉ1は、図５のように、絶対温度に比例して増加する電流となる。図５は、第１の電流Ｉ1の温度特性を示したグラフである。なお、Ｔｒ４を含む回路部分は、本発明の第１の電流生成回路の例である。
【００４０】
一方、第２の電流Ｉ2は、Ｔｒ６のコレクタ端子を流れる電流である。上述のように、Ｔｒ１、Ｔｒ２のゲート端子にはそれぞれ、絶対温度に対し線形に増加する制御電圧ＶP1、絶対温度に依存しない制御電圧ＶC2が供給される。また、Ｔｒ３のベース端子には、絶対温度に比例して増加する制御電流ＩP3が供給される。また、Ｔｒ５、Ｔｒ６のゲート端子はそれぞれ、Ｔｒ２、Ｔｒ１のドレイン端子に接続されている。
【００４１】
よって、第２の電流Ｉ2は、図６のように、所定温度ｔ１に到達するまでの低温領域では電流が流れず、所定温度ｔ１以上の高温領域では電流が流れるような電流となる。図６は、第２の電流Ｉ2の温度特性を示したグラフである。図６に示す温度特性が実現されるプロセスの詳細については、後述する。高温領域における第２の電流Ｉ2は、図６に示すように、温度上昇に応じて増加していく。なお、Ｔｒ１からＴｒ３、Ｔｒ５、及びＴｒ６を含む回路部分は、本発明の第２の電流生成回路の例である。
【００４２】
また、第３の電流Ｉ3は、Ｔｒ７のドレイン端子を流れる電流である。上述のように、Ｔｒ７のドレイン端子は、Ｔｒ４及びＴｒ６のコレクタ端子に接続されている。よって、第３の電流Ｉ3は、第１の電流Ｉ1と第２の電流Ｉ2とが加算された電流となる。よって、第３の電流Ｉ3は、図２に示す温度特性を有する電流となる。
【００４３】
また、電流ＩX1〜ＩX4はいずれも、第３の電流Ｉ3に依存した電流である。
【００４４】
電流ＩX1は、Ｔｒ８のドレイン端子を流れる電流である。上述のように、Ｔｒ７及びＴｒ８は、カレントミラーを構成している。よって、電流ＩX1は、第３の電流Ｉ3に依存した電流、詳細には、第３の電流Ｉ3の電流値のｎ1倍の電流値を有する電流となる（ｎ1は正の実数）。よって、電流ＩX1は、第３の電流Ｉ3と同様、図２に示す温度特性を有する電流となる。
【００４５】
また、電流ＩX2は、Ｔｒ９のエミッタ端子を流れる電流である。Ｔｒ９及びＴｒ１０へのベース電流を無視すると、電流ＩX2は、電流ＩX1の電流値と同じ電流値を有する電流となる。よって、電流ＩX2は、第３の電流Ｉ3と同様、図２に示す温度特性を有する電流となる。
【００４６】
また、電流ＩX3は、Ｔｒ９のベース端子を流れる電流である。よって、Ｔｒ９（及びＴｒ）の電流増幅率をβとすると、電流ＩX3は、電流ＩX2の電流値の１／β倍の電流値を有する電流となる。よって、電流ＩX3は、第３の電流Ｉ3と同様、図２に示す温度特性を有する電流となる。
【００４７】
また、電流ＩX3及びＩX4はそれぞれ、Ｒ６及びＲ７を流れる電流である。上述のように、Ｔｒ９及びＴｒは、カレントミラーを構成している。よって、電流ＩX4は、電流Ｉ3に依存した電流、詳細には、電流ＩX3の電流値のｎ2倍の電流値を有する電流となる（ｎ2は正の実数）。よって、電流ＩX4は、第３の電流Ｉ3と同様、図２に示す温度特性を有する電流となる。
【００４８】
そして、バイアス電流生成回路１１１は、電流ＩX4を、バイアス電流ＩBとして出力する。これにより、バイアス電流ＩBは、図２に示す温度特性を有する電流となる。このように、本実施形態によれば、図２の温度特性を有するバイアス電流ＩBを生成することができる。電流ＩX4は、本発明の第４の電流の例である。バイアス電流生成回路１１１は、バイアス電流ＩBとして、第３の電流Ｉ3を出力してもよいし、第３の電流Ｉ3に依存した電流ＩX4以外の電流を出力してもよい。
【００４９】
ここで、図６の温度特性が実現されるプロセスの詳細について、図７を参照して説明する。図７は、ノードＮ１及びＮ２（図４）の電位の温度特性を示したグラフである。図７の横軸は、絶対温度［Ｋ］を表し、図７の縦軸は、電位［Ｖ］を表す。
【００５０】
ノードＮ１を流れる電流は、ＰＴＡＴ電流である。そのため、ノードＮ１の電位の温度特性は、図７に示す直線Ｎ１のように、温度とは無関係に一定値が維持されるフラットな特性となる。
【００５１】
一方、ノードＮ２を流れる電流は、ＣＴＡＴ電流である。そのため、ノードＮ２の電位の温度特性は、図７に示す直線Ｎ２のように、温度に対し線形に減少する単調減少の特性となる。
【００５２】
温度ｔ１１は、ノードＮ１の電位とノードＮ２の電位とが等しくなる絶対温度を表す。温度ｔ１１は、上述の所定温度ｔ１よりも高温となる（即ちｔ１＜ｔ１１）。
【００５３】
温度ｔ１よりも低温の温度領域では、ノードＮ２の電位がノードＮ１の電位よりも十分に高くなっている。そのため、Ｔｒ５のコレクタ端子には電流が流れるが、Ｔｒ６のコレクタ端子には電流が流れない。よって、第２の電流Ｉ2の電流値は、０となる。
【００５４】
温度がｔ１に到達すると、Ｔｒ６のコレクタ端子に微小な電流が流れ始める。よって、第２の電流Ｉ2の電流値は、０から徐々に増加していく。
【００５５】
温度がさらにｔ１１まで到達すると、ノードＮ１の電位とノードＮ２の電位とが等しくなる。この場合、Ｔｒ６のコレクタ端子を流れる電流の電流値は、Ｔｒ５のコレクタ端子を流れる電流の電流値と同じ値となる。
【００５６】
そして、温度ｔ１１よりも高温の温度領域では、ノードＮ２の電位がノードＮ１の電位よりも低くなる。この場合、Ｔｒ６のコレクタ端子を流れる電流の電流値は、Ｔｒ５のコレクタ端子を流れる電流の電流値よりも大きくなる。
【００５７】
このようなプロセスにより、第２の電流Ｉ2は、所定温度ｔ１に到達するまでの低温領域では電流が流れず、所定温度ｔ１以上の高温領域では電流が流れるような電流となる。
【００５８】
以下、図４に戻り説明を続ける。
【００５９】
図４に示すように、バイアス回路１０１は更に、第１〜第３の制御回路１２１〜１２３を備える。
【００６０】
第１の制御回路１２１は、制御電圧ＶP1をＴｒ１に供給する回路である。第１の制御回路１２１は、絶対温度に対し線形に増加する電圧Ｖｔを出力し、制御電圧ＶP1として、電圧ＶｔをＴｒ１に供給する。第１の制御回路１２１は例えば、バンドギャップ電圧生成回路を有し、電圧Ｖｔとしてバンドギャップ電圧を出力する。
【００６１】
第２の制御回路１２２は、制御電圧ＶC2をＴｒ２に供給する回路である。
【００６２】
第３の制御回路１２３は、制御電流ＩP3及びＩP4をそれぞれ、Ｔｒ３及びＴｒ４に供給する回路である。第３の制御回路１２３は、絶対温度に比例して増加する電流値を有する制御電流ＩP5を出力する。そして、第３の制御回路１２３は、図４に示すように、制御電流ＩP5の一部を、制御電流ＩP3としてＴｒ３に供給し、制御電流ＩP5の残りの一部を、制御電流ＩP4としてＴｒ４に供給する。こうして、制御電流ＩP5に依存した制御電流ＩP3及びＩP4がそれぞれ、Ｔｒ３及びＴｒ４に供給される。制御電流ＩP5は、本発明の第５の制御電流（又は制御電圧）の例である。また、第３の制御回路１２３は、本発明の制御回路の例である。
【００６３】
第３の制御回路１２３は、外部抵抗を接続可能な接続端子１３１を有する。図４では、接続端子１３１に接続された外部抵抗がＲXで示されている。外部抵抗ＲXは、図１の温度補償回路が設けられたＬＳＩの外部に配置されている。
【００６４】
図４に示す回路構成から理解されるように、外部抵抗ＲXの抵抗値は、制御電流ＩP5の電流値を通じて、制御電流ＩP3及びＩP4の電流値に影響を与える。そして、制御電流ＩP3及びＩP4の電流値はそれぞれ、第１及び第２の電流Ｉ1及びＩ2の電流値に影響を与える。よって、本実施形態では、外部抵抗ＲXの抵抗値を調整することにより、第１及び第２の電流Ｉ1及びＩ2の電流値を調整することができる。このように、第３の制御回路１２３は、第１の電流Ｉ1と第２の電流Ｉ2とを制御することができる。なお、これらの電流の調整の詳細については、後述する。
【００６５】
第３の制御回路１２３は更に、第１１〜第１４のトランジスタＴｒ１１〜Ｔｒ１４と、第８及び第９の抵抗Ｒ８及びＲ９と、オペアンプＯＰとを備える。
【００６６】
オペアンプＯＰは、抵抗Ｒ８を介してグラウンド線ＧＮＤに接続された非反転入力端子と、接続端子１３１に接続された反転入力端子とを有する。非反転入力端子は、本発明の第１の入力端子の例であり、反転入力端子は、本発明の第２の入力端子の例である。オペアンプＯＰの非反転入力端子には、第３の制御回路１２３の外部から、絶対温度に対し線形に変化する電圧が供給される。
【００６７】
第１１及び第１２のトランジスタＴｒ１１及びＴｒ１２は共に、Ｐ型のＭＯＳＦＥＴとなっている。Ｔｒ１１及びＴｒ１２のゲート端子は、オペアンプＯＰの出力端子に接続されている。また、Ｔｒ１１及びＴｒ１２のソース端子は、電源線Ｖｃｃに接続されている。また、Ｔｒ１１のドレイン端子は、接続端子１３１と、オペアンプＯＰの反転入力端子とに接続されている。
【００６８】
第１３及び第１４のトランジスタＴｒ１３及びＴｒ１４は共に、ＮＰＮ型のバイポーラトランジスタとなっている。Ｔｒ１３のエミッタ端子は、抵抗Ｒ９を介してグラウンド線ＧＮＤに接続されており、Ｔｒ１４のコレクタ端子は、電源線Ｖｃｃに接続されている。また、Ｔｒ１３のコレクタ端子及びＴｒ１４のベース端子は、互いに接続されると共に、Ｔｒ１２のドレイン端子に接続されている。また、Ｔｒ１３のベース端子及びＴｒ１４のエミッタ端子は、互いに接続されると共に、Ｔｒ３及びＴｒ４のベース端子に接続されている。Ｔｒ１４は、Ｔｒ１３のベース電流の補償用に設けられている。
【００６９】
また、第２の制御回路１２２は、第１５及び第１６のトランジスタＴｒ１５及びＴｒ１６と、第１０の抵抗Ｒ１０とを備える。
【００７０】
第１５及び第１６のトランジスタＴｒ１５及びＴｒ１６は共に、ＮＰＮ型のバイポーラトランジスタとなっている。Ｔｒ１５のコレクタ端子及びＴｒ１６のベース端子は、互いに接続されており、これらの端子には、第２の制御回路１２２の外部から、電圧Ｖｔに依存した電流が供給される。また、Ｔｒ１５のベース端子及びＴｒ１６のエミッタ端子は、互いに接続されると共に、抵抗Ｒ１０を介してグラウンド線ＧＮＤに接続されている。また、Ｔｒ１５のエミッタ端子は、グラウンド線ＧＮＤに接続されており、Ｔｒ１６のコレクタ端子はＴｒ２のゲート端子に接続されている。Ｔｒ１６は、Ｔｒ１５のベース電流の補償用に設けられている。
【００７１】
また、バイアス回路１０１は、第１７〜第１９のトランジスタＴｒ１７〜Ｔｒ１９を備える。
【００７２】
第１７及び第１８のトランジスタＴｒ１７及びＴｒ１８は共に、Ｐ型のＮＯＳＦＥＴとなっている。Ｔｒ１７及びＴｒ１８のゲート端子には、第１の制御回路１２１から、電圧Ｖｔが供給される。また、Ｔｒ１７及びＴｒ１８のソース端子は、電源線Ｖｃｃに接続されている。また、Ｔｒ１７のドレイン端子は、オペアンプＯＰの非反転入力端子に接続されると共に、抵抗Ｒ８を介してグラウンド線ＧＮＤに接続されている。また、Ｔｒ１８のドレイン端子は、Ｔｒ１５のコレクタ端子及びＴｒ１６のベース端子に接続されている。
【００７３】
このように、Ｔｒ１７は、電圧Ｖｔに依存した電流及び電圧を、第３の制御回路１２３に供給する。同様に、Ｔｒ１８は、電圧Ｖｔに依存した電流及び電圧を、第２の制御回路１２２に供給する。
【００７４】
第１９のトランジスタＴｒ１９は、Ｐ型のＮＯＳＦＥＴとなっている。Ｔｒ１９のソース端子は、電源線Ｖｃｃに接続されている。また、Ｔｒ１９のドレイン端子は、Ｔｒ１８のコレクタ端子に接続されている。また、Ｔｒ１９のゲート端子は、Ｔｒ２のゲート端子に接続されると共に、Ｔｒ１８のコレクタ端子に接続されている。
【００７５】
以上のように、本実施形態によれば、図２に示す温度特性を有するバイアス電流ＩBを生成することができる。バイアス電流ＩBは、低温領域では絶対温度に比例して増加する電流値を有し、高温領域では上記絶対温度に比例した電流値よりもさらに増加した電流値を有する。
【００７６】
バイアス電流ＩBの温度特性は、第１及び第２の電流Ｉ1及びＩ2に依存している。このことを、図８を参照して説明する。図８は、図２と同様、バイアス電流ＩBの温度特性を示したグラフである。
【００７７】
第１の電流Ｉ1の温度特性は、図５に示されている。図５に示すように、第１の電流Ｉ1は、絶対温度に比例して増加する電流となる。一方、第２の電流Ｉ2の温度特性は、図６に示されている。図６に示すように、第２の電流Ｉ2は、所定温度ｔ１に到達するまでの低温領域では電流が流れず、所定温度ｔ１以上の高温領域では電流が流れるような電流となる。
【００７８】
よって、第１の電流Ｉ1の大きさは、図８にてαで示すように、点線で示す比例関係の傾きを決定する。そのため、本実施形態では、第１の電流Ｉ1の大きさを調整することにより、点線で示す比例関係の傾きを調整することができる。これは、低温領域におけるバイアス電流ＩBの温度変化率を調整することに相当する。
【００７９】
また、第２の電流Ｉ2の大きさは、図８にてβで示すように、点線で示す比例関係に対するバイアス電流ＩBの増加量を決定する。そのため、本実施形態では、第２の電流Ｉ2の大きさを調整することにより、点線で示す比例関係に対するバイアス電流ＩBの増加量を調整することができる。これは、高温領域におけるバイアス電流ＩBの補償量を調整することに相当する。
【００８０】
一方、本実施形態では、上述のように、外部抵抗ＲXの抵抗値を調整することにより、第１及び第２の電流Ｉ1及びＩ2の大きさ（電流値）を調整することができる。よって、本実施形態では、外部抵抗ＲXを調整することで、バイアス電流ＩBの温度特性を調整することができる。これにより、本実施形態では、バイアス電流ＩBの温度補償の微調整を行うことができる。
【００８１】
なお、温度補償の微調整では、低温領域におけるバイアス電流ＩBの温度変化率αの調整よりも、高温領域におけるバイアス電流ＩBの補償量βの調整が必要なことが多いと考えられる。そのため、本実施形態では、第１及び第２の電流Ｉ1及びＩ2の大きさのうち、第２の電流Ｉ2の大きさのみを、外部抵抗ＲXにより調整できるようにしてもよい。
【００８２】
また、図４のバイアス回路１０１では、第２の電流Ｉ2の大きさは、所定温度ｔ１の高さも決定する。そのため、本実施形態では、第２の電流Ｉ2の大きさを調整することにより、所定温度ｔ１の高さを調整することができる。
【００８３】
また、本実施形態では、Ｔｒ１は、制御電圧ＶP1により制御され、Ｔｒ３は、制御電流ＩP3により制御される。即ち、本実施形態では、Ｔｒ１とＴｒ３とが、別々の制御信号により制御される。よって、本実施形態では、Ｔｒ１の制御に影響を与えることなく、バイアス電流ＩBの温度補償の微調整を行うことができる。
【００８４】
以上のように、本実施形態では、バイアス電流ＩBは、低温領域では絶対温度に比例して増加する電流値を有し、高温領域では上記絶対温度に比例した電流値よりもさらに増加した電流値を有する。そして、本実施形態では、外部抵抗ＲXの抵抗値を調整することにより、第１及び第２の電流Ｉ1及びＩ2の大きさを調整することができる。これにより、本実施形態では、高周波信号を処理する回路において高温領域においてもゲインの温度補償を行うことができると共に、温度補償の微調整を行うことができる。
【００８５】
なお、本実施形態では、Ｔｒ１〜Ｔｒ１９はそれぞれ、バイポーラトランジスタでもＭＯＳＦＥＴでも構わない。バイポーラトランジスタのベース端子は、本発明の制御端子の例であり、エミッタ端子及びコレクタ端子は、本発明の主端子の例である。バイポーラトランジスタは、ＰＮＰ型でもＮＰＮ型でも構わない。同様に、ＭＯＳＦＥＴのゲート端子は、本発明の制御端子の例であり、ソース端子及びドレイン端子は、本発明の主端子の例である。ＭＯＳＦＥＴは、Ｐ型でもＮ型でも構わない。
【００８６】
以下、本発明の第２及び第３実施形態について説明する。第２及び第３実施形態は、第１実施形態の変形例であり、第２及び第３実施形態については、第１実施形態との相違点を中心に説明する。
【００８７】
（第２及び第３実施形態）
図９は、第２実施形態のバイアス電流生成回路１１１の構成を示す回路図である。
【００８８】
図４では、Ｔｒ１及びＴｒ２が、Ｐ型のＭＯＳＦＥＴであるのに対し、図９では、Ｔｒ１及びＴｒ２が、ＰＮＰ型のバイポーラトランジスタとなっている。これに伴い、制御電圧ＶP1は、絶対温度に比例して増加する制御電流ＩP1に置き換えられ、制御電圧ＶC2は、絶対温度に依存しない制御電流ＩC2に置き換えられている。
【００８９】
図１０は、第３実施形態のバイアス電流生成回路１１１の構成を示す回路図である。
【００９０】
図４では、Ｔｒ３及びＴｒ４が、ＮＰＮ型のバイポーラトランジスタであるのに対し、図１０では、Ｔｒ３及びＴｒ４が、Ｎ型のＭＯＳＦＥＴとなっている。これに伴い、制御電流ＩP3、ＩP4、ＩP5は、絶対温度に対し線形に増加する制御電圧ＶP3、ＶP4、ＶP5に置き換えられている。なお、制御電流ＩP3、ＩP4、ＩP5には、ＩP3＋ＩP4＝ＩP5の関係が成り立つのに対し、制御電圧ＶP3、ＶP4、ＶP5には、ＶP3＝ＶP4＝ＶP5の関係が成り立つ。
【００９１】
なお、図１０では、Ｔｒ３及びＴｒ４がＭＯＳＦＥＴであるため、Ｒ４及びＲ５は設けなくてもよい。また、Ｔｒ３及びＴｒ４をＭＯＳＦＥＴとする場合には、Ｔｒ１３（図４参照）もＭＯＳＦＥＴとすることが好ましい。この場合、Ｒ９（図４参照）は設けなくてもよい。
【００９２】
第２及び第３実施形態では、第１実施形態と同様、高周波信号を処理する回路において高温領域においてもゲインの温度補償を行うことができると共に、温度補償の微調整を行うことができる。
【００９３】
以上、本発明の具体的な態様の例を、第１から第３実施形態により説明したが、本発明は、これらの実施形態に限定されるものではない。
【符号の説明】
【００９４】
１０１  バイアス回路
１１１  バイアス電流生成回路
１２１  第１の制御回路
１２２  第２の制御回路
１２３  第３の制御回路
１３１  接続端子
【図１】
2010166312.tif 000003
【図２】
2010166312.tif 000004
【図３】
2010166312.tif 000005
【図４】
2010166312.tif 000006
【図５】
2010166312.tif 000007
【図６】
2010166312.tif 000008
【図７】
2010166312.tif 000009
【図８】
2010166312.tif 000010
【図９】
2010166312.tif 000011
【図１０】
2010166312.tif 000012